(57)【要約】【課題】冷凍サイクルを備えたレンジフードであってドレイン水の問題を解消する。【解決手段】本願発明のレンジフード１は、排気用ファン２８により室内から本体部３内の第１給気通路１５に空気を流通させ、給気用ファン３３により室内から本体部３内の第１給気通路１５に空気を流通させる。第１給気通路１５と第２給気通路１６とに跨るように配置されたデシカントロータ１８が第１給気通路１５を通過するときに水分を蒸発し再生され、第２給気通路１６を通過するときに第２給気通路１６内の空気を除湿する。第２給気通路のデシカントロータ１８と給気用ファン３３の間に蒸発器３１を設けることにより、蒸発器３１での結露を抑制し、その結露によるドレイン水の排水処理を不要とした。【選択図】  図７
2010038418.tif 000002
【特許請求の範囲】
【請求項１】
第１給気通路とこの第１給気通路に隣り合う第２給気通路が設けられた本体部と、この本体部の下方に設けられたフード部とを備え、室内の空気と室外の空気の換気を行うレンジフードであって、
前記本体部の外部から空気を取り込み、前記第１給気通路を通すための第１の送風手段と、
前記本体部の外部から空気を取り込み、前記第２給気通路を通して前記室内に排出する第２の送風手段と、
前記第１給気通路と前記第２給気通路とを跨ぐように配置され、前記第１給気通路を通過するときに吸着した水分が気化して再生され、前記第２給気通路を通過するときに当該第２給気通路を流通する空気中の水分を吸着して除湿する除湿手段と、
前記第１給気通路に配置され、高温かつ高圧の冷媒の液化によって当該第１給気通路内の空気を乾燥させる凝縮用熱交換手段と、
前記第２給気通路に設けられ、前記凝縮用熱交換手段によって液化した冷媒の気化によって当該第２給気通路内の空気の温度を低下させる蒸発用熱交換手段と、
前記凝縮用熱交換手段と前記蒸発用熱交換手段との間で前記冷媒を還流させる還流経路に設けられ、前記蒸発用熱交換手段を通った前記冷媒を圧縮し、高温かつ高圧の冷媒にして前記凝縮用熱交換手段に供給する冷媒圧縮手段と、
を備え、
前記蒸発用熱交換手段は、前記第２給気通路内の前記除湿手段の下流側に配置されていることを特徴とする、レンジフード。
【請求項２】
前記除湿手段は、除湿部材を収納した円筒状の本体とこの本体を回転軸周りに回転させる駆動手段とからなり、
前記駆動手段で前記本体を回転させることにより、前記第１給気通路での再生と前記第２給気通路での除湿とが繰り返される、請求項１に記載のレンジフード。
【請求項３】
前記凝縮用熱交換手段は、前記第１給気通路内の前記除湿手段の上流側に配置され、
前記除湿手段の前記第１給気通路を通過する部分を再生させる、請求項１または２に記載のレンジフード。
【請求項４】
前記第１給気通路に連通された排気通路からこの排気通路に滞留する空気を室外に排出するための第３の送風手段が設けられている、請求項１ないし３のいずれかに記載のレンジフード。
【請求項５】
前記第３の送風手段は、前記フード部の下方に滞留する空気を前記排気通路に導くとともに室外に排出させる、請求項４に記載のレンジフード。
【請求項６】
前記第１給気通路及び第２給気通路に流入する空気の流入口は、室内に連通されている、請求項１ないし５のいずれかに記載のレンジフード。
【請求項７】
前記第１給気通路及び第２給気通路に流入する空気の流入口は、室外に連通されている、請求項１ないし５のいずれかに記載のレンジフード。
【発明の詳細な説明】
【技術分野】
【０００１】
本発明は、例えば住宅等の台所に用いられ、室内の空気を外部に排出するためのレンジフードに関するものである。
【背景技術】
【０００２】
従来、例えば住宅等の台所においては、お湯を沸かしたり調理を行ったりすると、ガスレンジ等からの熱により台所周辺における空気の温度が高くなる。そこで、空気の温度を調整する（低下させる）ための空調装置を台所に設けるようにすれば、ユーザは快適に調理等を行うことができる。
【０００３】
空調装置には、例えばコンプレッサ方式を用いたエアー・コンディショナ（以下、「エアコン」という。）、冷風機または扇風機等が挙げられる。一般家庭用のエアコンは、室内機及び室外機によって大略構成されるが、台所周辺の壁面には食器棚やレンジフード等が配置されるため、室内機を設置するスペースが少なく上記エアコンを台所に設置することは困難である。また、冷風機または扇風機は、通常、床面に載置されるが、台所周辺ではそれらの設置スペースは少なく、それらを設置したとしてもユーザの移動を阻害することが多い。
【０００４】
特許文献１には、ガスコンロ等の上方に設置されるレンジフードに、圧縮機、蒸発器及び凝縮器等からなる空気調和機を組み込み、これらを一体化させた空気調和機付きレンジフードが提案されている。
【０００５】
【特許文献１】実開平４−１００５３７号公報
【０００６】
図１２は、上記特許文献１に記載の空気調和機付きレンジフードの構成図である。この空気調和機付きレンジフードによると、本体７０内に上方に延びて奥行き方向（図１２では左側方向）に折れ曲がって延びた排気ダクト７１が設けられ、排気ダクト７１内に排気用ファン７２が配置されている。排気用ファン７２の後方には、モータ７３で駆動される圧縮機７４が配置され、排気用ファン７２の前方には、フィルタ７５を介して凝縮器７６が配置されている。また、凝縮器７６の上方であって排気ダクト７１の前面側には、蒸発器７７及び冷房用ファン７８が配置され、上記圧縮機７４、凝縮器７６及び蒸発器７７等によって冷凍サイクルが構成されている。
【０００７】
この構成により、モータ７３が駆動すると、排気用ファン７２によって調理で生じた煙Ｗ１等がフィルタ７５を介して吸引され、排気ダクト７１を通じて外部に排出される。また、室内の空気は、副流Ｗ２として凝縮器７６を通過して排気ダクト７１を通じて外部に排出される。モータ７３の駆動により圧縮機７４も駆動され、冷凍サイクルによる冷房機能がはたらき、蒸発器７７が周囲の空気Ｗ３を冷やし、冷やされた空気が冷房用ファン７８によって冷風Ｗ４として室内に供給される。
【０００８】
一般に、冷凍サイクルにおいては、圧縮機によって圧縮された冷媒は、凝縮器によって冷却されて液化される。液化された冷媒は、蒸発器によって低温で気化され、蒸発器の周囲の空気は、蒸発器による気化熱で熱が奪い取られる。これにより、蒸発器の周囲の空気が冷やされるのであるが、蒸発器では、その周囲の空気が気化熱で熱が奪いとられることによって、結露が発生し、それによりドレイン水が生じる。
【０００９】
したがって、冷凍サイクルを有する空気調和機では、発生したドレイン水の処理を行う必要があるのであるが、上記特許文献１の空気調和機付きレンジフードでは、ドレイン水の処理についてはなんら考慮されておらず、ドレイン水がレンジフードから滴下し、調理の妨げになるといった問題点がある。
【００１０】
そこで、発生したドレイン水の処理方法としては、レンジフードの周辺に例えばドレイン水を案内するドレイン管等を設け、流し等に排水するといったことも考えられるが、レンジフード自体の見栄えがよくなかったり、レンジフード周辺の構成が複雑化したりするといった新たな問題点も生じる。
【発明の開示】
【発明が解決しようとする課題】
【００１１】
本願発明は、上記した事情のもとで考え出されたものであって、蒸発器におけるドレイン水の問題を解消することのできる、冷凍サイクルを備えたレンジフードを提供することを、その課題とする。
【課題を解決するための手段】
【００１２】
上記の課題を解決するため、本願発明では、次の技術的手段を講じている。
【００１３】
本願発明によって提供されるレンジフードは、第１給気通路とこの第１給気通路に隣り合う第２給気通路が設けられた本体部と、この本体部の下方に設けられたフード部とを備え、室内の空気と室外の空気の換気を行うレンジフードであって、前記本体部の外部から空気を取り込み、前記第１給気通路を通すための第１の送風手段と、前記本体部の外部から空気を取り込み、前記第２給気通路を通して前記室内に排出する第２の送風手段と、前記第１給気通路と前記第２給気通路とを跨ぐように配置され、前記第１給気通路を通過するときに吸着した水分が気化して再生され、前記第２給気通路を通過するときに当該第２給気通路を流通する空気中の水分を吸着して除湿する除湿手段と、前記第１給気通路に配置され、高温かつ高圧の冷媒の液化によって当該第１給気通路内の空気を乾燥させる凝縮用熱交換手段と、前記第２給気通路に設けられ、前記凝縮用熱交換手段によって液化した冷媒の気化によって当該第２給気通路内の空気の温度を低下させる蒸発用熱交換手段と、前記凝縮用熱交換手段と前記蒸発用熱交換手段との間で前記冷媒を還流させる還流経路に設けられ、前記蒸発用熱交換手段を通った前記冷媒を圧縮し、高温かつ高圧の冷媒にして前記凝縮用熱交換手段に供給する冷媒圧縮手段と、を備え、前記蒸発用熱交換手段は、前記第２給気通路内の前記除湿手段の下流側に配置されていることを特徴としている（請求項１）。
【００１４】
本願発明の好ましい実施の形態によれば、前記除湿手段は、除湿部材を収納した円筒状の本体とこの本体を回転軸周りに回転させる駆動手段からなり、前記駆動手段で前記本体を回転させることにより、前記第１給気通路での再生と前記第２給気通路での除湿とを繰り返すとよい（請求項２）。
【００１５】
本願発明の好ましい実施の形態によれば、前記凝縮用熱交換手段は、前記第１給気通路内の前記除湿手段の上流側に配置され、前記除湿手段の前記第１給気通路を通過する部分を再生させるとよい（請求項３）。
【００１６】
本願発明の好ましい実施の形態によれば、前記第１給気通路に連通された排気通路からこの排気通路に滞留する空気を室外に排出するための第３の送風手段が設けられているとよい（請求項４）。
【００１７】
本願発明の好ましい実施の形態によれば、前記第３の送風手段は、前記フード部の下方に滞留する空気を前記排気通路に導くとともに室外に排出させるとよい（請求項５）。
【００１８】
本願発明の好ましい実施の形態によれば、前記第１給気通路及び第２給気通路に流入する空気の流入口は、室内または室外に連通されているとよい（請求項６，７）。
【発明の効果】
【００１９】
この発明によれば、蒸発用熱交換手段（例えば蒸発器）は、除湿手段（例えばデシカントロータ）の下流側に配置されているため、第２の送風手段によって第２給気通路を流通する空気は、除湿手段の第２給気通路を通過する部分によって除湿された後、蒸発用熱交換手段による気化熱によって冷やされ、第２給気通路から室内に供給される。この場合、蒸発用熱交換手段を通過する空気は、除湿手段によって除湿されているので、蒸発用熱交換手段において結露は生じず、そのため、ドレイン水の発生も抑制することができる。したがって、ドレイン水を処理するためのドレイン管等を別途設ける必要がなく、ドレイン水の処理を必要としない簡易な構成のレンジフードを提供することができる。
【００２０】
本願発明のその他の特徴及び利点は、添付図面を参照して以下に行う詳細な説明によって、より明らかとなろう。
【発明を実施するための最良の形態】
【００２１】
以下、本願発明の好ましい実施の形態を、添付図面を参照して具体的に説明する。
【００２２】
図１は、本願発明の第１実施形態に係るレンジフードの斜視図である。図２及び図３は、図１に示すレンジフードの内部構成を示す概略図であり、図２はレンジフードの前面一部切欠図、図３はレンジフードの内部側面図である。
【００２３】
このレンジフード１は、例えば住宅の台所等であってガスコンロやＩＨコンロ等の調理器具の上方に位置する壁面Ｗ（図３参照）に沿って設けられ、調理によって生じた煙等を外部に排出する換気機能を有するものである。本実施形態に係るレンジフード１は、換気機能に加えて、デシカントロータ１８及び冷凍サイクルを実行する構成（いずれも後述）がレンジフード１内に組み込まれ、台所周辺の空調をも行うことのできるものである。
【００２４】
このレンジフード１は、調理等で排出される煙等を集めるためのフード部２と、フード部２の上部後方に設けられた略直方体形状の本体部３と、本体部３の前面側に設けられた幕板部４とによって概略構成されている。
【００２５】
フード部２は、前方側に突出しつつ下方側が開放されたフードカバー５を有している。フードカバー５の内側には、開口を有するパネル６が配されており、当該開口には油成分等を捕捉するためのフィルタ７が取り外し自在に設けられている。パネル６の奥方には、レンジフード１の下方にある調理台等を照らすための照明部８が設けられている。
【００２６】
また、フードカバー５の前面には、その中央にレンジフード１を運転動作させるためにユーザによって操作される操作部９が設けられている。操作部９は、例えば複数のスイッチを有しており、例えば図４に示すように、各種の運転動作を停止させるための「運転停止」スイッチ９ａ、例えば３分後に運転動作を停止させるための「タイマー」スイッチ（図４では「３分後切」と表示される。）９ｂ、冷気が吹き出される冷風運転を行うための「冷風」スイッチ９ｃ、換気運転を行うための「換気」スイッチ９ｄ、照明部８を点消灯させるための「照明」スイッチ９ｅ等の各スイッチが設けられている。
【００２７】
フードカバー５の前面であって操作部９の両側には、冷気吹出口１０が設けられている。冷気吹出口１０は、デシカントロータ１８等によって生成された冷気を台所周辺に吹き出させるためのものである。例えばユーザによって操作部９の「冷風」スイッチ９ｃが操作されると、デシカントロータ１８及び冷凍サイクルによる冷風運転が行われ（詳細は後述）、上記冷気吹出口１０から冷気が吹き出されるようになっている。
【００２８】
幕板部４の表面上部には、横長の第１給気口１１が形成されている。第１給気口１１は、デシカントロータ１８を再生するための空気を吸入するためのものである。第１給気口１１には、空気中の塵や埃等を捕捉するためのフィルタ１２が取り外し自在に設けられている。
【００２９】
第１給気口１１の下部には、第１給気口１１と同様に、横長の第２給気口１３が形成されている。第２給気口１３は、デシカントロータ１８等によって生成される冷気の元となる空気を吸入するためのものである。第２給気口１３には、空気中の塵や埃等を捕捉するためのフィルタ１４が取り外し自在に設けられている。
【００３０】
本体部３の内部には、図３に示すように、第１給気口１１に連通した第１給気通路１５と、第２給気口１３に連通した第２給気通路１６と、第１給気通路１５に連通された排気通路１７とが仕切板等によって区画されて設けられている。
【００３１】
より詳細には、第１給気通路１５は、第１給気口１１から本体部３の中央付近まで奥行き方向に延びて形成されている。第２給気通路１６は、第２給気口１３から奥行き方向に延びさらに下方に延び、本体部３の手前側からフード部２に連結され、冷気吹出口１０に至るように形成されている。すなわち、第１給気通路１５及び第２給気通路１６は、一部が隣接し隣り合うように形成されている。また、排気通路１７は、第１給気通路１５の最奥部から下方側に連通されて延びるように形成されている。なお、第１給気通路１５と排気通路１７との間には、ダンパー部材１７Ａが開閉自在に設けられている。
【００３２】
第１給気通路１５及び第２給気通路１６には、第１給気口１１及び第２給気口１３に対向するようにデシカントロータ（除湿ロータ）１８が配置されている。すなわち、デシカントロータ１８は、第１給気通路１５及び第２給気通路１６を跨ぐように配置され、上部１８ａが第１給気通路１５に配され、下部１８ｂが第２給気通路１６に配されている。
【００３３】
デシカントロータ１８は、乾燥剤（デシカント）を用いて除湿を行うための空調部材であり、図５に示すように、略円筒状に形成された本体１８Ａを有し、本実施形態では本体１８Ａの上部１８ａが再生側、本体１８Ａの下部１８ｂが除湿側となっている。
【００３４】
デシカントロータ１８は、本体１８Ａの内部に多数の空気通過孔（図略）を有する除湿部材が備えられ、当該除湿部材の表面には湿気を吸着するための乾燥剤が付着されている。乾燥剤としては、例えばシリカゲル、ゼオライト及び活性炭等の水分を吸着する用途に通常用いられるものが挙げられるが、これらに限定されるものではない。また、多数の空気通過孔の構造は、特に限定されるものではない。
【００３５】
デシカントロータ１８は、多数の空気通過孔を有する除湿部材が奥行き方向に所定の厚みを有して備えられているため、上記除湿部材を通過する空気に対して大きな接触面積を有することになる。そのため、湿気を含んだ空気がデシカントロータ１８の下部１８ｂを通過すると、上記除湿部材に付着されている乾燥剤により湿気が吸着除去される。
【００３６】
デシカントロータ１８は、その外周面に複数のギア１９が形成されており、そのギア１９は、デシカントロータ１８の上方に設けられたギアードモータ２０に形成されたギア２１と歯合している。デシカントロータ１８は、ギアードモータ２０がその中心軸２２周りに回転することによって比較的低速で回転軸２３周りに回転する。これらギア１９，２１及びギアードモータ２０は、本発明の除湿手段であるデシカントロータ１８の駆動手段の一例に相当する。なお、回転軸２３は、その軸心が空気の流通方向と一致している。
【００３７】
これにより、下部１８ｂに存在して除湿が行われた除湿部材が上部１８ａに移動され、上部１８ａにおいて再生が行われる。すなわち、デシカントロータ１８は、上部１８ａにおいて後述する凝縮器２４からの温度の比較的高い空気によって、下部１８ｂから回転移動されてきた除湿部材に含まれている水分を取り除く。水分が取り除かれた除湿部材は、再び下部１８ｂに回転移動され除湿が行われ、デシカントロータ１８は、このような動作を継続的に行うことにより、除湿効果を維持する。
【００３８】
図２及び図３に戻り、第１給気通路１５内であってデシカントロータ１８の上部１８ａ前面側（第１給気口１１を臨む位置）には、凝縮器２４が設けられている。凝縮器２４は、デシカントロータ１８を再生させるためにデシカントロータ１８に対して比較的温度の高い空気を供給するものである。より詳細には、凝縮器２４は、後述するコンプレッサ３４から供給される、圧縮された高温、高圧である冷媒の熱を奪い取り、冷媒を液化させるものであり、冷媒から奪い取った熱を外部に排出する。デシカントロータ１８は、この排熱を利用して再生を行う。凝縮器２４は、後述する膨張弁２５と配管２６を介して接続されている。
【００３９】
第１給気通路１５内であってデシカントロータ１８の後面側には、膨張弁２５が配設されている。膨張弁２５は、高圧の液体化された冷媒の圧力を下げるためのものであり、冷媒の圧力を下げることにより後述する蒸発器３１において冷媒を気化し易くしている。膨張弁２５は、後述する蒸発器３１と配管２７を介して接続されている。
【００４０】
第１給気通路１５内であって膨張弁２５の後方側には、排気用ファン２８が配置されている。排気用ファン２８は、第１給気通路１５に滞留する空気を排気通路１７に向けて供給するためのファンである。したがって、排気用ファン２８が回転駆動されると、第１給気通路１５内のデシカントロータ１８の上部再生側から排出された空気は、排気用ファン２８の下方であって第１給気通路１５と連通される排気通路１７に供給される。
【００４１】
排気通路１７には、下部後方側に換気用ファン２９が配置されている。換気用ファン２９は、排気通路１７内に滞留する空気を住宅の外部に排出するためのファンである。換気用ファン２９には、台所の壁Ｗの内部に設けられたダクト３０が接続されている。排気通路１７は、上述したパネル６の開口に連通されている。
【００４２】
したがって、換気用ファン２９が回転駆動されると、上記ダンパー部材１７Ａが開かれた状態では、排気用ファン２８によって第１給気通路１５から供給された空気を外部に排出する。また、換気用ファン２９は、ダンパー部材１７Ａが閉じられた状態では、パネル６の下方にある空気（例えば調理後の煙）を吸入し、パネル６のフィルタ７を介して外部に排出する。後述するように、換気動作を行う場合には、上記ダンパー部材１７Ａが閉じられて第１給気通路１５と排気通路１７とが遮断されるとともに、換気用ファン２９のみが回転動作し、排気用ファン２８は回転動作しないようになっている。
【００４３】
第２給気通路１６内であってデシカントロータ１８の下部後面側には、蒸発器３１が設けられている。蒸発器３１は、デシカントロータ１８の下部除湿側によって除湿された空気の温度を下げるためのものである。すなわち、蒸発器３１は、液化された冷媒を蒸発させて気化させるものであり、冷媒が気化されることにより周囲の熱が奪われる。この作用により、デシカントロータ１８からの空気の温度を下げることができる。蒸発器３１は、後述するコンプレッサ３４と配管３２を介して接続されている。
【００４４】
第２給気通路１６であって蒸発器３１の下流側には、給気用ファン３３が設けられている。給気用ファン３３は、デシカントロータ１８及び蒸発器３１によって温度が下げられた空気を台所に供給するためのファンである。したがって、給気用ファン３３が回転駆動すると、第２給気通路１６内にある低温の空気が台所にいるユーザに向けて供給される。
【００４５】
第２給気通路１６は、本体部３とフード部２とを連結するように形成されており、フード部２の前面に形成された冷気吹出口１０に連通されている。なお、第２給気通路１６は、図２に示すように、給気用ファン３３の配置位置において一旦狭まり、冷気吹出口１０に向けて広がるように形成されている。これにより、給気用ファン３３の給気効果を高めることができる。
【００４６】
レンジフード１の上部後方には、コンプレッサ（圧縮機）３４が配置されている。コンプレッサ３４は、気化された冷媒を圧縮し、高温、高圧の冷媒にして凝縮器２４に供給するものである。コンプレッサ３４は、上述した凝縮器２４と配管３５を介して接続されている。
【００４７】
上記した凝縮器２４、膨張弁２５、蒸発器３１及びコンプレッサ３４は、図３に示すように還状流路を構成する各配管２６，２７，３２，３５を通じて連続的に接続され、これにより冷凍サイクルが構成されている。本実施形態では、この冷凍サイクルの構成にデシカントロータ１８を介在させることにより、後述するように、デシカントロータ１８から除湿された空気を蒸発器３１に対して供給させ、蒸発器３１の気化熱によるドレイン水の発生を抑制している。
【００４８】
図６は、レンジフード１の電気的構成を示す図である。
【００４９】
レンジフード１には、電気的な動作を統括的に制御する制御部３６が設けられている。制御部３６は、例えばマイクロコンピュータからなり、図示しないメモリに記憶された動作プログラムによって各部の動作を制御するものである。
【００５０】
制御部３６には、排気用ファン２８、換気用ファン２９及び給気用ファン３３が接続されている。各ファン２８，２９，３３には、これらをそれぞれ回転動作させるためのモータ２８ａ，２９ａ，３３ａが組み込まれている。制御部３６は、これらのモータ２８ａ，２９ａ，３３ａを回転駆動させるための制御信号を各モータ２８ａ，２９ａ，３３ａに伝達することにより、各ファン２８，２９，３３を回転動作させる。
【００５１】
制御部３６には、コンプレッサ３４が接続されている。コンプレッサ３４には、モータ３４ａが組み込まれており、制御部３６は、このモータ３４ｂを回転駆動させるための制御信号を当該モータ３４ｂに伝達することにより、コンプレッサ３４を駆動させる。
【００５２】
制御部３６には、ギアードモータ２０が接続されている。制御部３６は、デシカントロータ１８を回転動作させるとき、ギアードモータ２０を駆動するための制御信号をギアードモータ２０に伝達する。これにより、ギアードモータ２０が回転動作し、ギアードモータ２０にギア１８，２１を介して連接されているデシカントロータ１８が回転動作される。
【００５３】
制御部３６には、操作部９及び照明部８が接続されており、操作部９を通じてユーザの操作があると、その操作に応じた操作信号が制御部３６に入力される。制御部３６は、その操作信号に応じて各部を制御する。例えば、操作部９の「照明」スイッチ９ａがユーザによって操作されると、その操作信号が制御部３６に入力され、制御部３６は、照明部８に対して点灯させるための制御信号を伝達する。これにより、照明部８が点灯する。
【００５４】
次に、上記の構成における作用について図７を参照して説明する。
【００５５】
例えばユーザによって操作部９の「冷風」スイッチ９ｃが押圧操作されると、制御部３６は、コンプレッサ３４、ギアードモータ２０、給気用ファン３３、排気用ファン２８及び換気用ファン２９に対して制御信号を伝達し、各部を動作させる。
【００５６】
制御部３６からの制御信号によりコンプレッサ３４が動作されると、図７の矢印Ｒに示すように、コンプレッサ３４、凝縮器２４、膨張弁２５及び蒸発器３１による還流流路に冷媒が還流され、冷凍サイクルとして動作される。
【００５７】
制御部３６からの制御信号によりギアードモータ２０が動作されると、図５に示したように、中心軸２２周りにギアードモータ２０が回転され、これにともない、回転軸２３周りにデシカントロータ１８が低速で回転される。
【００５８】
また、制御部３６からの制御信号により給気用ファン３３が回転動作されると、図７の矢印Ａ１に示すように、室内の空気は、フィルタ１３を介して第２給気通路１６に進入する。第２給気通路１６に進入した空気は、デシカントロータ１８の下部１８ｂを通過し、これにより除湿される。デシカントロータ１８の下部１８ｂを通過し除湿された空気は、蒸発器３１に導かれ、冷却される。このとき、蒸発器３１を通過する空気は、デシカントロータ１８によって除湿されているので、蒸発器３１からはドレイン水が生じることを抑制することができる。
【００５９】
上記のように、本実施形態によれば、デシカントロータ１８によって水分量の少ない除湿された空気が蒸発器３１に対して供給されるので、蒸発器３１において結露することが抑制され、蒸発器３１でドレイン水が生じることがない。そのため、ドレイン水を処理するためのドレイン管等を別途設ける必要がなく、ドレイン水の処理を必要としない簡易な構成のレンジフードとすることができる。
【００６０】
蒸発器３１で冷却された空気は、給気用ファン３３を介してフードカバー５の冷気吹出口１０から室内に供給される。そのため、ユーザに対して冷気を供給することができ、ユーザは快適な環境下で調理等を行うことができる。
【００６１】
なお、給気用ファン３３は、例えば内在するモータ３３ａの回転力を段階的に切り換えることにより、その給気量を段階的に切り換えられるようにしてもよい。これにより、冷気吹出口１０から室内に供給される風量を段階的に切り換えることができる。
【００６２】
給気用ファン３３の動作にともない、制御部３６からの制御信号により排気用ファン２８が回転動作されると、矢印Ａ２に示すように、室内の空気は、フィルタ１１を介して第１給気通路１５に進入する。第１給気通路１５に進入した空気は、デシカントロータ１８の上部１８ａを通過し、これによりデシカントロータ１８は再生される。デシカントロータ１８の上部１８ａを通過し再生された空気は、排気用ファン２８に導かれ、排気用ファン２８によって開状態のダンパー部材１７Ａを介して排気通路１７に供給される。
【００６３】
一方、排気用ファン２８の回転動作にともない、制御部３６からの制御信号により換気用ファン２９も回転動作されているので、排気通路１７にある空気は、矢印Ａ３に示すように、排気通路１７からダクト３０を介して外部に排出される。したがって、凝縮器２４で生じる排熱を含む空気を、第１給気通路１５、デシカントロータ１８の上部１８ａ、排気用ファン２８、排気通路１７及び喚起用ファン２９を介して外部に排出することができる。この構成により、例えば汎用の移動式の冷風機等では、冷凍サイクルを構成する凝縮器によって排熱されることがあり、この排熱により室内を局部的に冷やすことしかできなかったが、本実施形態によるレンジフード１では、凝縮器２４による排熱を外部に排出することができるので、台所周辺を効率よく冷やすことができる。
【００６４】
また、換気用ファン２９が回転動作されると、矢印Ａ４に示すように、パネル６の下方にある空気は、パネル６のフィルタ７を介して排気通路１７に導かれ、排気用ファン２８の回転動作によって第１給気通路１５を移動してきた空気とともに、排気通路１７から外部に排出される。
【００６５】
このように、「冷風」スイッチ９ｃが操作されると、冷気吹出口１０から冷風が吹き出されるとともに、デシカントロータ１８も再生され、同時に台所周辺の換気も行われることになる。したがって、冷気吹出口１０から冷風が吹き出される一方で、調理等で生じた比較的温度の高い煙等は換気されるので、空調効果をより高めることができる。
【００６６】
なお、「冷風」スイッチ９ｃが操作された場合、給気用ファン３３のみを回転動作させ、冷気吹出口１０から冷風を吹き出させることのみを行うことも可能であるが、排気用ファン２８及び換気用ファン２９が回転動作していないため、デシカントロータ１８による再生は行われなくなり、空調効果が不十分となる。したがって、空調効果を高めるためには、給気用ファン３３、排気用ファン２８及び換気用ファン２９を全て動作させることが望ましい。
【００６７】
次に、例えばユーザによって操作部９の「換気」スイッチ９ｄ（図４参照）が押圧操作されると、制御部３６からの制御信号によって換気用ファン２９が回転動作されるとともにダンパー部材１７Ａが閉じられる。換気用ファン２９が回転すると、矢印Ａ４に示すように、フード部２のパネル６の下方に滞留する空気は、パネル６のフィルタ７を介して排気通路１７に導かれ、排気通路１７から外部に排出される。すなわち、この場合、レンジフード１の本来の機能である換気のみが行われる。
【００６８】
本実施形態のレンシフード１では、凝縮器２４及び蒸発器３１等の冷凍サイクルを構成する機器やデシカントロータ１８を、本体部３の内部手前側にコンパクトに配置するとともに、コンプレッサ３４も本体部３の上部後方に配置したので、換気時に流れる空気の通路が十分に確保され、換気の機能に悪影響を与えることがない。
【００６９】
なお、「換気」スイッチ９ｄが操作された場合、換気用ファン２９を動作させるとともに、排気用ファン２８を動作させるようにしてもよい。これにより、図７の矢印Ａ２（Ａ３）及びＡ４に示すように、レンジフード１の周囲全体の空気が外部に排気されるので、換気効果をより高めることができる。
【００７０】
図８は、本願発明の第２実施形態に係るレンジフードの内部構成を示す側面図である。第２実施形態に係るレンジフードは、除湿冷却される元の空気を室外から取り入れる点で、除湿冷却される元の空気を台所等の室内から取り入れていた第１実施形態のレンジフード１と異なる。
【００７１】
すなわち、室内から取り入れた空気は、調理で生じた油成分、塵及び埃等によって汚れている場合があり、そのような汚れた空気をレンジフード内に取り入れると、デシカントロータ１８等に目詰まり等の除湿機能に悪影響を与える不具合が生じることがあるので、第２実施形態のレンジフードでは、除湿冷却する元の空気を室外から取り入れるようにしている。
【００７２】
このレンジフード１Ａでは、台所の壁面に接する本体部３の後面に、空気取入部材４０が設けられており、空気取入部材４０にダクト４１が装着されている。空気取入部材４０には、第１給気通路１５が接続され、第１給気通路１５は、本体部３の上部奥方から中央に延び、下方に折れ曲がるように形成されている。第２実施形態では、凝縮器２４、デシカントロータ１８及び蒸発器３１は、横置きとされ、第１給気通路１５の途中には、凝縮器２４が配置され、その下流側に再生側が配されるようにデシカントロータ１８が配置されている。そして、デシカントロータ１８の再生側の下流側に排気用ファン２８及びダンパー部材１７Ａが配置されている。
【００７３】
本体部３の上部に設けられた第１給気通路１５には、第２給気通路１６が連接し隣り合うように形成され、第２給気通路１６は、本体部３の上部中央から手前側に延び、下方に折り曲げられるようにして幕板部４に沿って延びている。下方に延びた第２給気通路１６の途中には、除湿側が位置するようにデシカントロータ１８が配置され、その下流側には蒸発器３１が配置されている。その他の構成については、第１実施形態と略同様である。なお、図８では、冷凍サイクルを構成する膨張弁や配管等が省略されている。
【００７４】
この第２実施形態に係るレンジフード１においても、ユーザによって操作部９の「冷風」スイッチ９ｃが操作されると、コンプレッサ３４、ギアードモータ２０、給気用ファン３３、排気用ファン２８及び換気用ファン２９が動作される。
【００７５】
すなわち、給気用ファン３３が回転動作することにより、図９の矢印Ｂ１に示すように、ダクト４１を介して空気取入部材４０から取り入れられた空気は、第１給気通路１５から第２給気通路１６に至り、デシカントロータ１８の除湿側、蒸発器３１、給気用ファン３３を経由して冷気吹出口１０から室内に冷風として供給される。
【００７６】
また、排気用ファン２８及び換気用ファン２９が回転動作することにより、図９の矢印Ｂ２に示すように、空気取入部材４０から取り入れられた空気は、第１給気通路１５から凝縮器２４、デシカントロータ１８の再生側、排気用ファン２８、開状態のダンパー部材１７Ａ、排気通路１７及び換気用ファン２９を経由してダクト３０を通じて外部に排出される。さらに、図９の矢印Ｂ３に示すように、フードカバー２の下方に滞留する調理時の空気も換気用ファン２９を経由してダクト３０を通じて外部に排出される。
【００７７】
第２実施形態のレンジフード１Ａでは、デシカントロータ１８や蒸発器３１等によって除湿冷却される元の空気は、空気取入部材４０から取り入れられる室外の空気である。そのため、デシカントロータ１８等には、例えば室内から取り入れた、調理によって生じた油成分等が含まれる汚れた空気が供給されることがないので、デシカントロータ１８等の部品の品質を向上させることができる。
【００７８】
図１０は、本願発明の第３実施形態に係るレンジフードの内部構成を示す側面図である。第３実施形態に係るレンジフードは、空気を取り入れるための空気取入口や空気を排出するための空気排出口が本体部３の上面に設けられ、それらに接続されるダクトの室内側における設置スペースが比較的広く設けられている点で、空気取入口や空気排出口が台所の壁面に沿って設けられていた第１実施形態及び第２実施形態のレンジフード１，１Ａと異なる。
【００７９】
第１及び第２実施形態のレンジフード１，１Ａでは、空気取入口や空気排出口が壁面に当接された背面に設けられていたため、空気取入口や空気排出口に連通されるダクトの設置位置もレンジフードの設置位置に応じて制限的に決定されていた。しかしながら、第３実施形態のレンジフード１Ｂでは、図１０に示すように、空気取入口や空気排出口が本体部３の上面に設けられており、それらに接続されるダクトの室内側における設置スペースも比較的広く設けられている。そのため、空気の取り入れや排出を、台所の壁面を貫通するダクトによって行う場合、各ダクトの壁面における配置も任意な位置に設定でき、ダクトを含むレンジフードの設置工事をより容易にすることができる。
【００８０】
第３実施形態のレンジフード１Ｂは、本体部３の上面に空気取入口４２に嵌合される空気取入部材４３が設けられ、空気取入部材４３から第１給気通路１５及び第２給気通路１６が分岐され、上下方向に延びるように並設されている。
【００８１】
第１給気通路１５には、排気用ファン２８、凝縮機２４、デシカントロータ１８の再生側が配置され、排気通路１７に連通されている。第１給気通路１５と排気通路１７との間には、ダンパー部材４４が設けられている。このダンパー部材４４は、制御部３６によってその開閉が制御され、換気動作時には閉じられる。第２給気通路１６には、給気用ファン３３、デシカントロータ１８の除湿側、蒸発器３１が配置され、幕板部４に形成された冷風吹出口１０に連通されている。なお、第３実施形態のレンジフードでは、排気用ファン２８及び給気用ファン３３がデシカントロータ１８の上流側にそれぞれ設けられている。
【００８２】
排気通路１７には、換気用ファン２９が横置きされており、換気用ファン２９に接続された内部ダクト４５は、中継通路４６を介して空気排出口４７に嵌合される空気排出部材４８に接続されている。空気排出部材４８は、本体部３の上面であって空気取入部材４３が設けられた面より一段下がった面に設けられている。また、空気取入部材４３及び空気排出部材４８は、それぞれダクト４９，５０に接続され、各ダクト４９，５０は、台所の壁Ｗを介して外部に延びている。
【００８３】
この第３実施形態に係るレンジフード１Ｂにおいても、ユーザによって操作部９の「冷風」スイッチ９ｃが操作されると、給気用ファン３３が回転動作し、図１１の矢印Ｃ１に示すように、ダクト４９を介して空気取入部材４３から取り入れられた空気は、第２給気通路１６に配置された給気用ファン３３、デシカントロータ１８の除湿側、蒸発器３１を経由して冷気吹出口１０から室内に供給される。
【００８４】
また、排気用ファン２８及び換気用ファン２９が回転動作することにより、図１１の矢印Ｃ２に示すように、ダクト４９を介して空気取入部材４３から取り入れられた空気は、第２給気通路１５に配置された排気用ファン２８、凝縮器２４、デシカントロータ１８の再生側、開状態のダンパー部材４４を経由して、排気通路１７に配置された換気用ファン２９、内部ダクト４５、中継通路４６を経て空気排出部材４８及びダクト５０を通じて室外に排出される。
【００８５】
さらに、図１１の矢印Ｃ３に示すように、フードカバー５の下方に滞留する調理時の空気も換気用ファン２９を経由して空気排出部材４８及びダクト５０を通じて室外に排出される。一方、このレンジフード１Ｂにおいて、換気動作が行われる場合、制御部３６によって換気用ファン２９が回転動作されるとともに、ダンパー部材４４は閉状態にされる（図１０の矢印Ｌ参照）。この場合、排気用ファン２８は回転動作されない。
【００８６】
このように、第３実施形態のレンジフード１Ｂでは、空気取入口４２や空気排出口４７が本体部３の上面にそれぞれ設けられ、ダクト４９，５０の室内側における設置スペースも比較的広く設けられているので、ダクト４９，５０を含むレンジフード１Ｂの設置工事が容易にできるといった利点がある。また、このレンジフード１Ｂでは、第１給気通路１５及び第２給気通路１６がほぼ平行に並設されているため、装置全体をコンパクトに構成することができる。
【００８７】
もちろん、この発明の範囲は上述した実施の形態に限定されるものではない。例えば、上記実施形態で示したデシカントロータの構成は、上記実施形態に示した構成に限るものではない。また、上記実施形態で示した第１給気通路、第２給気通路、排気通路等の空気流路は一例であり、本願発明の効果を奏するものであるなら上記実施形態に限定されるものではない。
【図面の簡単な説明】
【００８８】
【図１】本願発明の第１実施形態に係るレンジフードの斜視図である。
【図２】レンジフードの内部構成を示し、レンジフードの前面一部切欠図である。
【図３】レンジフードの内部構成を示し、レンジフードの内部側面図である。
【図４】操作部のパネル面を示す図である。
【図５】デシカントロータの概略構成図である。
【図６】レンジフードの電気的構成を示す図である。
【図７】図１に示すレンジフードにおいて空気の流れを示す図である。
【図８】第２実施形態に係るレンジフードの内部構成を示す側面図である。
【図９】図８に示すレンジフードにおいて空気の流れを示す図である。
【図１０】第３実施形態に係るレンジフードの内部構成を示す側面図である。
【図１１】図１０に示すレンジフードにおいて空気の流れを示す図である。
【図１２】従来の空気調和機付きレンジフードの構成を示す図である。
【符号の説明】
【００８９】
１  レンジフード
２  フード部
３  本体部
４  幕板部
５  フードカバー
８  照明部
９  操作部
１０  冷気吹出口
１５  第１給気通路
１６  第２給気通路
１７  排気通路
１８  デシカントロータ（除湿手段）
１８ａ  上部
１８ｂ  下部
２０  ギアードモータ（駆動手段）
２４  凝縮器（凝縮用熱交換手段）
２５  膨張弁
２８  排気用ファン（第１の送風手段）
２９  換気用ファン（第３の送風手段）
３１  蒸発器（蒸発用熱交換手段）
３３  給気用ファン（第２の送風手段）
３４  コンプレッサ
【図１】
2010038418.tif 000003
【図２】
2010038418.tif 000004
【図３】
2010038418.tif 000005
【図４】
2010038418.tif 000006
【図５】
2010038418.tif 000007
【図６】
2010038418.tif 000008
【図７】
2010038418.tif 000009
【図８】
2010038418.tif 000010
【図９】
2010038418.tif 000011
【図１０】
2010038418.tif 000012
【図１１】
2010038418.tif 000013
【図１２】
2010038418.tif 000014